(57)【要約】【課題】製造コストの低減及び構造の簡素化を実現し、乾燥運転時の無駄なエネルギー消費を省いた浴室乾燥機を得ること。【解決手段】浴室乾燥機６は、浴室１１から取り込んだ空気の温度を測定する給気温度センサ４と、居室に設置された居室温度センサ及び居室湿度センサから測定結果を受信し、ヒーター３を停止させた状態での給気温度センサ４の測定結果と、居室温度センサ８及び居室湿度センサ９の測定結果とに基づいて、脱衣室の湿度を算出する演算部と、ヒーター３を停止させた状態での給気温度センサ４の測定結果と、演算部が算出した脱衣室の湿度とに基づいてヒーター３の運転強度を制御する制御部とを備える。【選択図】図１
2016036724.tif 000002
【特許請求の範囲】
【請求項１】
浴室である第１の部屋と、第２の部屋と、前記第１の部屋と前記第２の部屋との間に位置する第３の部屋とを備えた建物の前記第１の部屋に設置され、前記第１の部屋から取り込んだ空気の一部をヒーターで加熱して前記第１の部屋に戻し、残りを屋外へ排気する乾燥モードでの運転が可能であり、前記乾燥モードでの運転時には、前記第２の部屋から前記第３の部屋を通じて前記第１の部屋に流入する気流を前記建物内に形成する浴室乾燥機であって、
前記第１の部屋から取り込んだ空気の温度を測定する第１の温度センサと、
前記第２の部屋に設置された第２の温度センサ及び湿度センサから測定結果を受信し、前記ヒーターを停止させた状態での前記第１の温度センサの測定結果と、前記第２の温度センサ及び前記湿度センサの測定結果とに基づいて、前記第３の部屋の湿度を算出する演算部と、
前記ヒーターを停止させた状態での前記第１の温度センサの測定結果と、前記演算部が算出した前記第３の部屋の湿度とに基づいて前記ヒーターの運転強度を制御する制御部とを備えることを特徴とする浴室乾燥機。
【請求項２】
前記第２の温度センサ及び前記湿度センサは、前記第２の部屋に設置されたエアコンディショナが備えることを特徴とする請求項１に記載の浴室乾燥機。
【請求項３】
記憶部をさらに備え、
前記ヒーターは、運転強度を強又は弱に設定可能であり、
前記記憶部は、前記第１の部屋に干した衣類を弱の運転強度で乾燥させるのに要する必要乾燥時間を記憶しており、
前記制御部は、前記ヒーターを停止させた状態での前記第１の温度センサの測定結果と、前記演算部が算出した前記第３の部屋の湿度との組合せでの必要乾燥時間が、前記乾燥モードでの運転開始時に設定された目標乾燥時間よりも長ければ前記ヒーターの運転強度を強にし、前記ヒーターを停止させた状態での前記第１の温度センサの測定結果と、前記演算部が算出した前記第３の部屋の湿度との組合せでの必要乾燥時間が、前記乾燥モードでの運転開始時に設定された目標乾燥時間よりも短ければ、前記ヒーターの運転強度を弱にすることを特徴とする請求項１又は２に記載の浴室乾燥機。
【請求項４】
前記第１の部屋から空気を取り込み、屋外に排気するための送風機をさらに備え、
前記制御部は、前記ヒーターを停止させた状態での前記第１の温度センサの測定結果と、前記演算部が算出した前記第３の部屋の湿度とに基づいて前記ヒーターの運転強度および前記送風機の運転強度を制御することを特徴とする請求項１又は２に記載の浴室乾燥機。
【請求項５】
記憶部をさらに備え、
前記ヒーターは、運転強度を強又は弱に設定可能であり、
前記送風機は、運転強度を強又は弱に設定可能であり、
前記記憶部は、前記第１の部屋に干した衣類を乾燥させるのに要する必要乾燥時間を、前記ヒーターの運転強度及び前記送風機の運転強度の組合せごとに記憶しており、
前記制御部は、前記ヒーターを停止させた状態での前記第１の温度センサの測定結果と、前記演算部が算出した前記第３の部屋の湿度との組合せでの必要乾燥時間と、前記乾燥モードでの運転開始時に設定された目標乾燥時間とに基づき、前記ヒーター及び前記送風機の運転強度の組合せを切り替えることを特徴とする請求項４に記載の浴室乾燥機。
【請求項６】
前記制御部は、前記乾燥モードでの運転優先項目の設定を受け付け、前記運転優先項目に基づいて前記ヒーター及び前記送風機の一方を優先して前記運転強度の組合せを切り替えることを特徴とする請求項５に記載の浴室乾燥機。
【発明の詳細な説明】
【技術分野】
【０００１】
本発明は、浴室に干した衣類及び浴室を乾燥する浴室乾燥機に関する。
【背景技術】
【０００２】
浴室に干した衣類及び浴室を乾燥する浴室乾燥機においては、浴室環境及び脱衣室からの給気条件により乾燥性能が変化するため、浴室環境及び脱衣室からの給気条件に基づいて乾燥運転を自動で制御することが望まれている。
【０００３】
例えば、特許文献１に開示される発明は、浴室乾燥機に設けた温度センサで検出した浴室の温度と、浴室乾燥機に設けた湿度センサで検出した浴室の湿度とに基づいて送風機の回転数を制御することで、乾燥に適した風量を設定することができる。
【先行技術文献】
【特許文献】
【０００４】
【特許文献１】特開平１０−１７００５０号公報
【発明の概要】
【発明が解決しようとする課題】
【０００５】
特許文献１に開示される発明の乾燥運転の制御方法では、浴室乾燥機に湿度センサを設ける必要があるため、浴室乾燥機の製造費用の増加及び構造の複雑化が問題となる。また、乾燥運転におけるヒーター出力が給気条件及び使用者が所望する乾燥時間に基づいて制御されないため、浴室に干した衣類及び浴室を乾燥する際のエネルギーを余分に消費するという課題がある。
【０００６】
本発明は、上記に鑑みてなされたものであって、製造コストの低減及び構造の簡素化を実現し、乾燥運転時の無駄なエネルギー消費を省いた浴室乾燥機を得ることを目的とする。
【課題を解決するための手段】
【０００７】
上述した課題を解決し、目的を達成するために、本発明は、浴室である第１の部屋と、第２の部屋と、第１の部屋と第２の部屋との間に位置する第３の部屋とを備えた建物の第１の部屋に設置され、第１の部屋から取り込んだ空気の一部をヒーターで加熱して第１の部屋に戻し、残りを屋外へ排気する乾燥モードでの運転が可能であり、乾燥モードでの運転時には、第２の部屋から第３の部屋を通じて第１の部屋に流入する気流を建物内に形成する浴室乾燥機である。本発明は、第１の部屋から取り込んだ空気の温度を測定する第１の温度センサと、第２の部屋に設置された第２の温度センサ及び湿度センサから測定結果を受信し、ヒーターを停止させた状態での第１の温度センサの測定結果と、第２の温度センサ及び湿度センサの測定結果とに基づいて、第３の部屋の湿度を算出する演算部と、ヒーターを停止させた状態での第１の温度センサの測定結果と、演算部が算出した第３の部屋の湿度とに基づいてヒーターの運転強度を制御する制御部とを備える。
【発明の効果】
【０００８】
本発明によれば、浴室乾燥機の製造コストの低減及び構造の簡素化を実現し、乾燥運転時の無駄なエネルギー消費を省くことができるという効果を奏する。
【図面の簡単な説明】
【０００９】
【図１】本発明の実施の形態に係る浴室乾燥機の構成を示す模式図
【図２】浴室乾燥機による浴室への給気経路及び浴室からの排気経路を示す模式図
【図３】浴室乾燥機の制御装置の構成を示すブロック図
【図４】浴室に干した衣類が乾燥するのに要する必要乾燥時間の一例を示す説明図
【図５】実施の形態に係る浴室乾燥機の乾燥モード運転開始時の動作の流れを示すフローチャート
【図６】浴室に干した衣類が乾燥するのに要する必要乾燥時間の一例を示す説明図
【図７】浴室に干した衣類が乾燥するのに要する必要乾燥時間の一例を示す説明図
【図８】実施の形態に係る浴室乾燥機の乾燥モード運転開始時の動作の流れを示すフローチャート
【発明を実施するための形態】
【００１０】
以下に、本発明に係る浴室乾燥機の実施の形態を図面に基づいて詳細に説明する。なお、本実施の形態により本発明が限定されるものではない。
【００１１】
実施の形態．
図１は、本発明の実施の形態に係る浴室乾燥機の構成を示す模式図である。図２は、浴室乾燥機による浴室への給気経路及び浴室からの排気経路を示す模式図である。図１及び図２中の白抜きの矢印は空気の流れを表している。浴室乾燥機６は、送風機１、風路切替ダンパ２、ヒーター３、給気温度センサ４及び制御装置５を有する。浴室乾燥機６は、第１の部屋である浴室１１と、第２の部屋である居室１２と、浴室１１と居室１２との間に位置する第３の部屋である脱衣室１３とを備えた建物２０の浴室１１に設置される。浴室乾燥機６は、浴室１１から取り込んだ空気の一部をヒーター３で加熱して浴室１１に戻し、残りを屋外へ排気する乾燥モードでの運転が可能である。浴室乾燥機６は、乾燥モードでの運転時には、居室１２から脱衣室１３を通じて浴室１１に流入する気流３０を建物２０内に形成する。送風機１は、浴室１１から空気を取り込み、屋外に排気するための装置である。
【００１２】
すなわち、浴室乾燥機６は、浴室１１に干した衣類及び浴室１１を乾燥する乾燥モードでの運転時には、送風機１を駆動することにより、空気取り入れ口１５が設けられている居室１２から脱衣室１３に外気を流入させ、浴室１１を通じて脱衣室１３の空気を取り込む。送風機１によって浴室乾燥機６に取り込まれた空気は、風路切替ダンパ２によって二分割され、一方はダクトを通じて屋外へ排出されて浴室１１を換気し、他方はヒーター３によって加熱されたのちに浴室１１へ吹き出される。すなわち、浴室１１から浴室乾燥機６に取り込まれた空気の一部は屋外へ排出される排気となり、残りの一部は、ヒーター３による加熱後に浴室１１に戻される還気となる。浴室乾燥機６は、取り込んだ空気の一部を屋外へ排気することにより、浴室１１内が水蒸気で飽和して衣類及び浴室１１の乾燥が滞ることを防止している。
【００１３】
ヒーター３は、強又は弱の運転強度で運転可能である。本実施の形態では、ヒーター３は電気式であり、運転強度が弱とは消費電力６８０Ｗでの運転であり、運転強度が強とは消費電力１２００Ｗでの運転であるとする。本実施の形態では、電気式のヒーター３を例に説明を行うが、浴室乾燥機６内に取り込んだ空気を加熱可能であれば、ヒーター３は電気式に限定されることはない。
【００１４】
送風機１は、強又は弱の運転強度で運転可能である。本実施の形態では、運転強度が弱とは風量５０ｍ３／ｈでの運転であり、運転強度が強とは風量１５０ｍ３／ｈでの運転であるとする。
【００１５】
浴室乾燥機６は、コントローラ１４を備えている。コントローラ１４は、脱衣室１３に設置されている。コントローラ１４は、乾燥運転ボタン１６及び目標乾燥時間設定部１７を備えている。乾燥運転ボタン１６は、浴室乾燥機６を乾燥モードで運転させるための操作ボタンである。目標乾燥時間設定部１７は、数値を直接入力するテンキーであっても良いし、予め定められている時間のいずれを目標乾燥時間に設定するかが押下のたびに切り替わるボタンであっても良い。
【００１６】
コントローラ１４は、運転優先項目設定部１８を備えている。運転優先項目設定部１８は、乾燥運転において消費電力量を抑制した運転とするか、運転音を抑制した運転とするかを設定するボタンである。すなわち、運転優先項目設定部１８を操作することにより、運転優先項目を「消費電力量」及び「運転音」のいずれかに設定可能である。運転優先項目設定部１８による設定内容は、後述する記憶部５１に記憶される。制御部５３は、乾燥モードでの運転優先項目の設定を受け付け、運転優先項目に基づいてヒーター３及び送風機１の一方を優先して運転強度の組合せを切り替える。
【００１７】
居室１２には、エアコンディショナ７が設置されている。エアコンディショナ７は、居室温度センサ８及び居室湿度センサ９を備えている。居室温度センサ８は居室１２の温度Ｔｌを検出する。居室湿度センサ９は、居室１２の湿度Ｘｌを検出する。浴室乾燥機６とエアコンディショナ７とは通信ケーブル１０で接続されている。浴室乾燥機６は、居室温度センサ８が測定した居室１２の温度Ｔｌ及び居室湿度センサ９が測定した居室１２の湿度Ｘｌを、エアコンディショナ７から通信ケーブル１０を通じて受信する。なお、浴室乾燥機６とエアコンディショナ７とは無線通信方式で通信しても良い。
【００１８】
給気温度センサ４は、第１の部屋である浴室１１から取り込んだ空気の温度を測定する第１の温度センサである。居室温度センサ８は、第２の部屋である居室１２の温度を測定する第２の温度センサである。居室湿度センサ９は、第２の部屋である居室１２の湿度を測定する湿度センサである。
【００１９】
図３は、浴室乾燥機の制御装置の構成を示すブロック図である。制御装置５は、温度及び湿度のデータ並びに運転優先項目設定部１８による設定内容を記憶する記憶部５１、居室温度センサ８が測定した居室１２の温度Ｔｌ及び居室湿度センサ９が測定した居室１２の湿度Ｘｌを受信し、給気温度センサ４、居室温度センサ８及び居室湿度センサ９の検出結果から脱衣室１３の湿度Ｘｄを算出する演算部５２並びにヒーター出力及び排気風量を制御する制御部５３を有する。記憶部５１は、浴室１１に干した衣類を乾燥させるのに要する必要乾燥時間を、ヒーター３の運転強度及び送風機１の運転強度の組合せごとに記憶している。制御部５３は、浴室乾燥機６が乾燥運転を開始する前に、ヒーター３への通電を停止した状態で送風機１を運転し、脱衣室１３から浴室１１に流れ込んだ空気を浴室乾燥機６に取り込んで給気温度センサ４で温度を測定することによって、脱衣室１３の温度Ｔｄを間接的に測定する。即ち、ヒーター３を停止させた状態で浴室１１から取り込んだ空気の温度を給気温度センサ４で測定することにより、脱衣室１３の温度を間接的に測定できる。また、居室温度センサ８が検出した居室１２の温度Ｔｌ及び居室湿度センサ９が検出した居室１２の湿度Ｘｌをエアコンディショナ７から受信する。演算部５２は、居室１２の温度Ｔｌ及び居室１２の湿度Ｘｌから居室１２の絶対湿度Ｘを算出し、給気温度センサ４で間接的に測定した脱衣室１３の温度Ｔｄと居室１２の絶対湿度Ｘとから脱衣室１３の湿度Ｘｄを算出する。換言すると、演算部５２は、ヒーター３を停止させた状態での給気温度センサ４の測定結果と、居室温度センサ８及び居室湿度センサ９の測定結果とに基づいて、脱衣室１３の湿度Ｘｄを算出する。
【００２０】
一例を挙げると、居室１２の温度Ｔｌが２５℃、居室１２の湿度Ｘｌが６０％、脱衣室１３の温度Ｔｄが３０℃の時、居室１２の絶対湿度Ｘは、０．０１２ｋｇ／ｋｇ（ＤＡ）となり、脱衣室１３の湿度Ｘｄは４５％となる。
【００２１】
次に、脱衣室１３の温度及び湿度並びに使用者が設定した目標乾燥時間に基づいて、ヒーター３の出力を制御する方法について説明する。図４は、浴室に干した衣類が乾燥するのに要する必要乾燥時間の一例を示す説明図である。図４に示す必要乾燥時間は、衣類の重量５ｋｇ、浴室１１の床面積２．６ｍ２、外気温度及び外気湿度は脱衣室１３の温度及び湿度と同じであるという条件でヒーター３の運転強度を弱にした乾燥運転を行って衣類が乾くまでの時間を測定し、測定結果を基にシミュレーションにより算出した値である。浴室１１に干した衣類が乾燥するのに要する時間は、脱衣室１３の温度が高いほど短くなる。また、浴室１１に干した衣類が乾燥するのに要する時間は、脱衣室１３の湿度が低いほど短くなる。
【００２２】
図５は、実施の形態に係る浴室乾燥機の乾燥モード運転開始時の動作の流れを示すフローチャートである。制御装置５は、ステップＳ１０１において、使用者による目標乾燥時間設定部１７を介した目標乾燥時間の設定入力及び乾燥運転ボタン１６の押下を受け付ける。目標乾燥時間の設定入力及び乾燥運転ボタンの押下を受け付けると、制御装置５は、ステップＳ１０２において、ヒーター３への通電を停止した状態で送風機１の運転を開始する。そして、制御装置５は、ステップＳ１０３において、浴室１１を通じて脱衣室１３から取り込んだ空気の温度を給気温度センサ４で測定することによって脱衣室１３の温度Ｔｄを間接的に測定する。さらに、制御装置５は、ステップＳ１０３において、エアコンディショナ７が備える居室温度センサ８が検出した居室１２の温度Ｔｌ及び、エアコンディショナ７が備える居室湿度センサ９が検出した居室１２の湿度Ｘｌを受信する。演算部５２は、ステップＳ１０４において、居室１２の温度Ｔｌ及び居室１２の湿度Ｘｌから居室１２の絶対湿度Ｘを算出する。演算部５２は、ステップＳ１０５において、脱衣室１３の温度Ｔｄ及び居室１２の絶対湿度Ｘから脱衣室１３の湿度Ｘｄを算出する。
【００２３】
制御装置５は、ステップＳ１０６において、給気温度センサ４、居室温度センサ８及び居室湿度センサ９の測定結果から演算部５２が算出した脱衣室１３の湿度Ｘｄと、給気温度センサ４を用いて間接的に測定した脱衣室１３の温度Ｔｄと、記憶部５１に記憶されている必要温度情報とに基づいて、脱衣室１３の温度Ｔｄ及び湿度Ｘｄの組合せが示す必要乾燥時間が、ステップＳ１０１において受け付けた目標乾燥時間よりも長いか否かを判断する。必要乾燥時間が目標乾燥時間よりも長い場合（ステップＳ１０６：Ｙｅｓ）、制御部５３は、ステップＳ１０７において、ヒーター３の運転強度を強に設定する。一方、必要乾燥時間が目標乾燥時間以下の場合（ステップＳ１０６：Ｎｏ）、制御部５３は、ステップＳ１０８において、ヒーター３の運転強度を弱に設定する。ヒーター３の運転強度の設定が終了したのち、制御部５３は、ステップＳ１０９において、乾燥運転を開始する。
【００２４】
具体例を挙げると、目標乾燥時間が２１０分に設定された場合、ヒーター３の運転強度が弱に設定される脱衣室１３の温度Ｔｄ及び湿度Ｘｄの条件は、Ｔｄ≧３０℃、又は２０℃≦Ｔｄ＜３０℃かつＸｄ≦４０％である。
【００２５】
図６は、浴室に干した衣類が乾燥するのに要する必要乾燥時間の一例を示す説明図である。図６に示す必要乾燥時間は、衣類の重量５ｋｇ、浴室１１の床面積２．６ｍ２、外気温度及び外気湿度は脱衣室１３の温度及び湿度と同じであるという条件でヒーター３の運転強度を強にした乾燥運転を行って衣類が乾くまでの時間を測定し、測定結果を基にシミュレーションにより算出した値である。図６の中で、最も温度が高くかつ最も湿度が低いという衣類の乾燥に適した条件は、Ｔｄ＝３０℃かつＸｄ＝２０％である。Ｔｄ＝３０℃かつＸｄ＝２０％という条件における必要乾燥時間は１１０分であることから、衣類の乾燥には少なくとも１１０分間の乾燥運転が必要であることが分かる。従って、制御部５３は、ステップＳ１０１での処理で目標乾燥時間の設定入力を受け付ける際に、１１０分未満の値を使用者が入力できないようにしても良い。
【００２６】
次に、脱衣室１３の温度及び湿度並びに使用者が設定した目標乾燥時間及び運転優先項目に基づいて、ヒーター３の出力及び送風機１の排気風量を制御する方法について説明する。ここで、ヒーター出力弱かつ排気風量弱での運転を乾燥モードＡとし、ヒーター出力弱かつ排気風量強での運転を乾燥モードＢとし、ヒーター出力強かつ排気風量弱での運転を乾燥モードＣとし、ヒーター出力強かつ排気風量強での運転を乾燥モードＤとする。浴室乾燥機６の消費電力量は、ヒーター３及び送風機１の消費電力と運転時間との積で定まるが、ここでは、乾燥モードＤの消費電力量＜乾燥モードＣの消費電力量であり、乾燥モードＢの消費電力量＜乾燥モードＣの消費電力量であり、乾燥モードＢの消費電力量＜乾燥モードＡの消費電力量であるとする。脱衣室１３の温度及び湿度並びに使用者が設定した目標乾燥時間及び運転優先項目に基づいて、ヒーター３の出力及び送風機１の排気風量を制御する場合、制御部５３は、ヒーター３を停止させた状態での給気温度センサ４の測定結果と、演算部５２が算出した脱衣室１３の湿度とに基づいてヒーター３の運転強度及び送風機１の運転強度を制御する。
【００２７】
図７は、浴室に干した衣類が乾燥するのに要する必要乾燥時間の一例を示す説明図である。図７（ａ）は、乾燥モードＡの場合の必要乾燥時間の一例を示し、図７（ｂ）は、乾燥モードＢの場合の必要乾燥時間の一例を示し、図７（ｃ）は、乾燥モードＣの場合の必要乾燥時間の一例を示し、図７（ｄ）は、乾燥モードＤの場合の必要乾燥時間の一例を示している。図７に示す必要乾燥時間は、衣類の重量５ｋｇ、浴室１１の床面積２．６ｍ２、外気温度及び外気湿度は脱衣室１３の温度及び湿度と同じであるという条件で乾燥運転を行って衣類が乾くまでの時間を測定し、測定結果を基にシミュレーションにより算出した値である。浴室１１に干した衣類が乾燥するのに要する時間は、脱衣室１３の温度が高いほど短くなる。また、浴室１１に干した衣類が乾燥するのに要する時間は、脱衣室１３の湿度が低いほど短くなる。
【００２８】
図８は、実施の形態に係る浴室乾燥機の乾燥モード運転開始時の動作の流れを示すフローチャートである。制御装置５は、ステップＳ２０１において、使用者による目標乾燥時間設定部１７を介した目標乾燥時間の設定入力、運転優先項目設定部１８を介した優先運転項目の設定入力、及び乾燥運転ボタン１６の押下を受け付ける。目標乾燥時間の設定入力、運転優先項目の設定入力、及び乾燥運転ボタンの押下を受け付けると、制御装置５は、ステップＳ２０２において、ヒーター３への通電を停止した状態で送風機１の運転を開始する。
【００２９】
制御装置５は、ステップＳ２０３において、浴室１１を通じて脱衣室１３から取り込んだ空気の温度を給気温度センサ４で測定することによって脱衣室１３の温度Ｔｄを間接的に測定する。換言すると、給気温度センサ４により、脱衣室１３の温度Ｔｄを測定する。さらに、制御装置５は、ステップＳ２０３において、エアコンディショナ７が備える居室温度センサ８が検出した居室１２の温度Ｔｌ及び、エアコンディショナ７が備える居室湿度センサ９が検出した居室１２の湿度Ｘｌを受信する。演算部５２は、ステップＳ２０４において、居室１２の温度Ｔｌ及び居室１２の湿度Ｘｌから居室１２の絶対湿度Ｘを算出する。演算部５２は、ステップＳ２０５において、脱衣室１３の温度Ｔｄ及び居室１２の絶対湿度Ｘから脱衣室１３の湿度Ｘｄを算出する。
【００３０】
制御装置５は、給気温度センサ４、居室温度センサ８及び居室湿度センサ９の測定結果から演算部５２が算出した脱衣室１３の湿度Ｘｄと、給気温度センサ４を用いて間接的に測定した脱衣室１３の温度Ｔｄと、記憶部５１に記憶されている必要時間情報と、使用者により設定された目標乾燥時間及び運転優先項目に基づいて、乾燥モードＡ、乾燥モードＢ、乾燥モードＣ及び乾燥モードＤのいずれかに設定する。
【００３１】
まず、ステップＳ２０６において、制御装置５は、乾燥モードＢでの脱衣室１３の温度Ｔｄ及び湿度Ｘｄの組合せが示す必要乾燥時間が、ステップＳ２０１において受け付けた目標乾燥時間よりも長いか否かを判断する。乾燥モードＢでの必要乾燥時間が目標乾燥時間よりも長い場合（ステップＳ２０６：Ｙｅｓ）、ステップＳ２０７へ進む。
【００３２】
ステップＳ２０７において、制御装置５は、乾燥モードＣでの脱衣室１３の温度Ｔｄ及び湿度Ｘｄの組合せが示す必要乾燥時間が、ステップＳ２０１において受け付けた目標乾燥時間よりも長いか否かを判断する。乾燥モードＣでの必要乾燥時間が目標乾燥時間よりも長い場合（ステップＳ２０７：Ｙｅｓ）、ステップＳ２０８において、制御装置５は、乾燥モードＤに設定する。乾燥モードＣでの必要乾燥時間が目標乾燥時間以下であれば（ステップＳ２０７：Ｎｏ）、ステップＳ２０９において、制御装置５は、運転優先項目が「消費電力量」であるかを判断する。運転優先項目が「消費電力量」に設定されていた場合（ステップＳ２０９：Ｙｅｓ）、ステップＳ２１０において、制御装置５は、乾燥モードＤに設定する。運転優先項目が「運転音」に設定されていた場合（ステップＳ２０９：Ｎｏ）、ステップＳ２１１において、制御装置５は、乾燥モードＣに設定する。
【００３３】
また、ステップＳ２０６において、乾燥モードＢでの脱衣室１３の温度Ｔｄ及び湿度Ｘｄの組合せが示す必要乾燥時間が目標乾燥時間以下である場合（ステップＳ２０６：Ｎｏ）、ステップＳ２１２へ進む。ステップＳ２１２において、制御装置５は、乾燥モードＡでの脱衣室１３の温度Ｔｄ及び湿度Ｘｄの組合せが示す必要乾燥時間が、ステップＳ２０１において受け付けた目標乾燥時間よりも長いか否かを判断する。
【００３４】
乾燥モードＡでの必要乾燥時間が目標乾燥時間よりも長ければ（ステップＳ２１２：Ｙｅｓ）、ステップＳ２１３において、制御装置５は運転優先項目が「消費電力量」であるかを判断する。運転優先項目が「消費電力量」に設定されていた場合（ステップＳ２１３：Ｙｅｓ）、ステップＳ２１４において、制御装置５は、乾燥モードＢに設定する。運転優先項目が「運転音」に設定されていた場合（ステップＳ２１３：Ｎｏ）、ステップＳ２１５において、制御装置５は、乾燥モードＣに設定する。また、乾燥モードＡでの必要乾燥時間が目標乾燥時間以下であれば（ステップＳ２１２：Ｎｏ）、ステップＳ２１６において、制御装置５は、運転優先項目が「消費電力量」であるかを判断する。運転優先項目が「消費電力量」に設定されていた場合（ステップＳ２１６：Ｙｅｓ）、ステップＳ２１７において、制御装置５は、乾燥モードＢに設定する。運転優先項目が「運転音」に設定されていた場合（ステップＳ２１６：Ｎｏ）、ステップＳ２１８において、制御装置５は、乾燥モードＡに設定する。乾燥モードの設定が終了したのち、制御部５３は、ステップＳ２１９において、乾燥運転を開始する。
【００３５】
上記のようにして制御部５３は、ヒーター３を停止させた状態での給気温度センサ４の測定結果と、演算部５２が算出した脱衣室１３の湿度との組合せでの必要乾燥時間と、乾燥モードでの運転開始時に設定された目標乾燥時間と運転優先項目とに基づき、ヒーター３及び送風機１の運転強度の組合せを切り替える。
【００３６】
具体例を挙げると、Ｔｄ＝２０℃、Ｘｄ＝６０％、目標乾燥時間が１５０分で、運転優先項目が「運転音」に設定されていた場合は、乾燥モードＣが設定される。
【００３７】
乾燥モードＡ、乾燥モードＢ、乾燥モードＣ及び乾燥モードＤのうち、ヒーター出力及び排気風量がいずれも強である乾燥モードＤが、四つの乾燥モードの中で最も短時間で乾燥可能な乾燥モードである。図７（ｄ）の中で、最も温度が高くかつ最も湿度が低いという衣類の乾燥に適した条件は、Ｔｄ＝３０℃かつＸｄ＝２０％である。Ｔｄ＝３０℃かつＸｄ＝２０％という条件における必要乾燥時間は１００分であることから、衣類の乾燥には少なくとも１００分間の乾燥運転が必要であることが分かる。従って、制御部５３は、ステップＳ２０１での処理で目標乾燥時間の設定入力を受け付ける際に、１００分未満の値を使用者が入力できないようにしても良い。
【００３８】
また、上記の実施の形態においては、ヒーター３の運転強度を強弱のいずれかに設定する場合を例としたが、複数の必要時間情報を記憶部５１に記憶させておき、ヒーター３の運転強度を３段階以上に変化させて乾燥モードを制御してもよい。
【００３９】
また、上記の実施の形態においては、ヒーター３の運転強度及び送風機１の運転強度を強弱のいずれかに設定し、それらの組み合わせにより４つの乾燥モードを持つ場合を例としたが、複数の必要時間情報を記憶部５１に記憶させておき、ヒーター３の運転強度及び送風機１の運転強度を３段階以上に変化させ、それらの組み合わせにより更に多数の乾燥モードを持つものとしてもよい。
【００４０】
また、上記の実施の形態においては、居室１２に設置されたエアコンディショナ７が備える居室温度センサ８及び居室湿度センサ９の測定結果を制御装置５が受信する構成を例に挙げて説明したが、居室温度センサ８及び居室湿度センサ９を備える装置はエアコンディショナ７に限定されることはない。一例を挙げると、居室温度センサ８及び居室湿度センサ９を備える装置は、冷房装置、換気装置又は空気清浄機であってもよい。なお、エアコンディショナ７は、住宅の部屋に設置される一般的な装置であるため、浴室乾燥機６に、エアコンディショナ７が備える居室温度センサ８及び居室湿度センサ９の測定結果を受信する機能を持たせることで、住宅の部屋に設置されることが一般的ではない装置から居室１２の温度Ｔｌ及び湿度Ｘｌの測定結果を受信する場合と比較して、居室１２の温度Ｔｌ及び湿度Ｘｌの取り込み先とできる装置の数を増やすことが可能となる。なお、居室温度センサ８及び居室湿度センサ９は、居室１２に設置される装置に内蔵されていなくてもよい。すなわち、居室温度センサ８及び居室湿度センサ９が、独立して居室１２に設置されていてもよい。
【００４１】
実施の形態に係る浴室乾燥機６は、浴室１１から浴室乾燥機６に取り込んだ空気の湿度を測定する湿度センサを必要としないため、浴室乾燥機６の製造コストの低減及び構造の簡素化を実現できる。
【００４２】
また、実施の形態に係る浴室乾燥機６は、給気温度センサ４、居室温度センサ８及び居室湿度センサ９の測定結果から演算部５２が算出した脱衣室１３の温度及び湿度と、記憶部５１に記憶されている必要時間情報と、使用者が設定した運転優先項目とに基づいて、複数の乾燥モードの中から乾燥モードを設定する。従って、乾燥運転時の無駄なエネルギー消費を省くことができ、浴室乾燥機６のライフサイクルの使用段階での環境負荷を低減できる。また、使用者の設定した運転優先項目に基づいて乾燥モードが自動で設定され、使用者の利便性が向上する。
【００４３】
上記のように、実施の形態に係る浴室乾燥機６は、居室１２に設置されたエアコンディショナ７が備える居室温度センサ８及び居室湿度センサ９から測定結果を受信し、ヒーター３を停止させた状態での給気温度センサ４の測定結果と、居室温度センサ８及び居室湿度センサ９の測定結果とに基づいて、脱衣室１３の湿度を算出する演算部５２と、ヒーター３を停止させた状態での給気温度センサ４の測定結果と、演算部５２が算出した脱衣室１３の湿度とに基づいてヒーター３の運転強度及び送風機１の運転強度を制御する制御部５３を備える。制御部５３が、脱衣室１３の温度が低いほどヒーター３の運転強度を高くし、かつ脱衣室１３の湿度が高いほどヒーター３の運転強度を高くすることにより、乾燥運転時の無駄なエネルギー消費を省くことができる。浴室乾燥機６は、浴室１１から取り込んだ空気の湿度を測定する湿度センサを備えないため、浴室乾燥機６の製造コストの低減及び構造の簡素化を実現できる。
【符号の説明】
【００４４】
１  送風機、２  風路切替ダンパ、３  ヒーター、４  給気温度センサ、５  制御装置、６  浴室乾燥機、７  エアコンディショナ、８  居室温度センサ、９  居室湿度センサ、１０  通信ケーブル、１１  浴室、１２  居室、１３  脱衣室、１４  コントローラ、１５  空気取り入れ口、１６  乾燥運転ボタン、１７  目標乾燥時間設定部、１８  運転優先項目設定部、２０  建物、５１  記憶部、５２  演算部、５３  制御部。
【図１】
2016036724.tif 000003
【図２】
2016036724.tif 000004
【図３】
2016036724.tif 000005
【図４】
2016036724.tif 000006
【図５】
2016036724.tif 000007
【図６】
2016036724.tif 000008
【図７】
2016036724.tif 000009
【図８】
2016036724.tif 000010